(57)【要約】【課題】生活空間で使用可能であって、アレルゲンを不活化することができる建材を提供することを目的とする。【解決手段】一方の面と他方の面とを貫く複数の細孔を有する表層１０と、アレルゲンを不活化する酵素（例えばプロテアーゼなど）およびタンパク質変性剤（例えば尿素など）を含有するアレルゲン不活化層２０とを備える積層体（板材１）とし、室内の壁、天井などとして備え付ける。【選択図】        図１
2006083661.tif 000002
【特許請求の範囲】
【請求項１】
一方の面と他方の面とを貫く複数の細孔を有する表層と、アレルゲンを不活化する酵素およびタンパク質変性剤を含有するアレルゲン不活化層とを備える積層体である室内構成建材。
【請求項２】
前記アレルゲン不活化層が、保水性を有する不溶性部材で形成されており、前記酵素およびタンパク質変性剤を含む溶液が不溶性部材に保持されている、請求項１に記載の室内構成建材。
【請求項３】
前記酵素およびタンパク質変性剤を含む溶液を供給する供給口が備えられた、請求項２に記載の室内構成建材。
【請求項４】
前記アレルゲン不活化層が、アレルゲンを不活化する酵素、タンパク質変性剤およびバインダーを含む水溶性固形物で形成される、請求項３に記載の室内構成建材。
【請求項５】
前記表層が、層内部に面方向に貫ぬかれた細管を有し、前記細管と前記細孔とが交差しており、細管に供給された水分が細孔を通じてアレルゲン層に供給される、請求項４に記載の室内構成建材。
【請求項６】
前記表層が、層内部に面方向に貫ぬかれた細管を有し、前記細管と前記細孔とが交差しており、細管および細孔には保水性材料が充填されて成る、請求項４に記載の室内構成建材。
【請求項７】
前記酵素がプロテアーゼである、請求項１から５のいずれか一項に記載の室内構成建材。
【請求項８】
前記タンパク質変性剤が、ドデシル硫酸ナトリウム、ドデシル硫酸リチウム、３，５−ジドデシル硫酸リチウム、トリス（ヒドロキシメチル）アミノメタンドデシルサルフェート、コール酸ナトリウム、Ｎ−ラウロイルサルコシン、Ｎ−ラウロイルサルコシン酸ナトリウム、セチルジメチルエチルアンモニウムブロミド、セチルトリメチルアンモニウムブロミド、３−［（３−コールアミドプロピル）ジメチルアンモニド］−２−ヒドロキシ−１−プロパンスルフォネート、３−［（３−コールアミドプロピル）ジメチルアンモニド］−１−プロパンスルフォネート、ポリオキシエチレンノニルフェニルエーテルおよび尿素からなる群より選択されることを特徴とする、請求項１から７のいずれか一項に記載の室内構成建材。
【発明の詳細な説明】
【技術分野】
【０００１】
本発明は、室内構成建材に関し、詳しくは生活空間におけるアレルゲンを不活化し、アレルギーの発生を抑制することに寄与する、壁板、天井板などの室内構成建材に関するものである。
【背景技術】
【０００２】
近年、アレルギー問題がクローズアップされている。アレルゲンとしてはスギ花粉が有名であるが、住宅の高気密化など、最近の住宅事情により、ダニなどの害虫およびその排泄物などによるアレルギーも深刻化している。具体的には、住居内性ダニ類、特に室内塵中に多いチリダニのアレルゲン（Ｄｅｒ１、Ｄｅｒ２）や、主に春季に猛威を振るうスギ花粉アレルゲン（Ｃｒｉｊ１、Ｃｒｉｊ２）等の多くのアレルゲンが生活空間内に存在する。
【０００３】
このようなアレルギー対策として、従来から、種々の製品、例えば掃除機やモップなどのハウスダストをまとめて処理する掃除用具などが世に送り出されている。また、一般的に行われているアレルギーから身を守る方法、即ち、アレルゲンを排除する方法としては以下のようなものがある。例えば、スギに代表される花粉の場合には、外出時に着用するマスクに花粉を通過させないような細かいメッシュを入れることによって体内に花粉が取り込まれないようにする方法が、また屋内では集塵機に代表される装置によってそれらを捕獲する方法などが行われている。しかしながら、集塵機などによって居住空間に存在する花粉を積極的に排除したとしても、それは空気中浮遊物質の一部として花粉が捕獲されるに過ぎない。従って、このような方法単独では十分なアレルゲンの除去は困難である。
【０００４】
一方、ダニなどに代表される害虫由来のアレルゲンの場合、寝具やソファ、並びに畳や床などの清掃をこまめに行うことで害虫の存在量を減らし、それによってアレルゲン量を軽減させているのが現状である。しかしながら、このような方法では、一時的にアレルゲンの量は減少するものの、害虫が繁殖すればアレルゲン量も増加してしまう。従って、アレルゲン量を十分に低い値で維持するためには相当な人力が必要とされる。また、薬品を用いて害虫駆除を行うことも可能であるが、人体に影響のない安全な範囲での使用に限られるため、十分に駆除しきれない場合もある。
【０００５】
また、アレルゲンを不活化する目的で建築材料中にジルコニウムなどの不活化剤を含有させることが知られている（例えば特許文献１など）。
【０００６】
【特許文献１】特開２００１−２１２８０６号公報
【発明の開示】
【発明が解決しようとする課題】
【０００７】
上記のようなアレルゲンは、タンパク質（またはポリペプチド）である。したがって、アレルゲンを不活性化させる方法として、タンパク質を変性させる要因、例えば、熱、酸またはアルカリ等を用いてアレルゲンを変性させることが考えられる。この方法も一定の成果は上げることができる。しかし、実際は、ダニや花粉に起因するアレルゲンには非常に安定性の高いものがあり、生活空間で安全に使用できる程度の熱、酸またはアルカリなどでは容易に分解されない場合もあった。
【０００８】
本発明は、上記に鑑みてなされたものであって、生活空間で使用可能であって、アレルゲンを不活化することができる建材を提供することを目的とする。
【課題を解決するための手段】
【０００９】
上述した課題を解決し目的を達成するために、本発明においては、壁や天井等に備える板状建材として、アレルゲンを不活化する酵素およびタンパク質変性剤を保持するアレルゲン不活化層を設ける。壁や天井等の室内内面にアレルゲンを不活化させる層を備えることにより、アレルギーの発生を抑制できる室内環境を提供することができる。本発明は、かかる着想に基づくものであり、下記の建材を提供するものである。
【００１０】
〔１〕一方の面と他方の面とを貫く複数の細孔を有する表層と、アレルゲンを不活化する酵素およびタンパク質変性剤を含有するアレルゲン不活化層とを備える積層体である室内構成建材。
〔２〕前記アレルゲン不活化層が、保水性を有する不溶性部材で形成されており、前記酵素およびタンパク質変性剤を含む溶液が不溶性部材に保持されている、上記〔１〕に記載の室内構成建材。
〔３〕前記酵素およびタンパク質変性剤を含む溶液を供給する供給口が備えられた、上記〔２〕に記載の室内構成建材。
〔４〕前記アレルゲン不活化層が、アレルゲンを不活化する酵素、タンパク質変性剤およびバインダーを含む水溶性固形物で形成される上記〔３〕に記載の室内構成建材。
〔５〕前記表層が、層内部に面方向に貫ぬかれた細管を有し、前記細管と前記細孔とが交差しており、細管に供給された水分が細孔を通じてアレルゲン層に供給される、上記〔４〕に記載の室内構成建材。
〔６〕前記表層が、層内部に面方向に貫ぬかれた細管を有し、前記細管と前記細孔とが交差しており、細管および細孔には保水性材料が充填されて成る、上記〔４〕に記載の室内構成建材。
〔７〕前記酵素がプロテアーゼである、上記〔１〕から〔５〕のいずれか一項に記載の室内構成建材。
〔８〕前記タンパク質変性剤が、ドデシル硫酸ナトリウム、ドデシル硫酸リチウム、３，５−ジドデシル硫酸リチウム、トリス（ヒドロキシメチル）アミノメタンドデシルサルフェート、コール酸ナトリウム、Ｎ−ラウロイルサルコシン、Ｎ−ラウロイルサルコシン酸ナトリウム、セチルジメチルエチルアンモニウムブロミド、セチルトリメチルアンモニウムブロミド、３−［（３−コールアミドプロピル）ジメチルアンモニド］−２−ヒドロキシ−１−プロパンスルフォネート、３−［（３−コールアミドプロピル）ジメチルアンモニド］−１−プロパンスルフォネート、ポリオキシエチレンノニルフェニルエーテルおよび尿素からなる群より選択されることを特徴とする、上記〔１〕から〔７〕のいずれか一項に記載の室内構成建材。
【発明の効果】
【００１１】
本発明によれば、アレルゲンを不活化し、アレルギーの発生を抑制した室内環境を提供することができる。
【発明を実施するための最良の形態】
【００１２】
以下、この発明につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
【００１３】
［第１の実施形態］
本発明の第１の実施形態について図１および２と共に説明する。
図１に示すように、第１の実施形態として示す板材１は、表層ボード１０にアレルゲン不活化層２０が積層されたものである。表層ボード１０には多数の細孔１１が存在する。図２は図１のＩ−Ｉ’線の断面の一部を示す図である。細孔１１は、貫通しており、アレルゲン不活化層２０に含まれる酵素およびタンパク質変性剤とアレルゲンとが接触し得るように構成される。表層ボード１０の材質は特に限定されず、木材、プラスチック、金属類、紙などが例示される。
【００１４】
アレルゲンは酵素またはタンパク質変性剤のいずれか一方によっても不活化し得る。しかし、近年特に問題化しているダニに起因するアレルゲンは安定性が高く、いずれか一方では不活化しにくい場合がある。本発明で用いられるアレルゲン不活化層では、酵素およびタンパク質変性剤を併存させることにより、アレルゲンの不活化する作用をより強化している。酵素もタンパク質でありタンパク質変性剤によって変性し得るものである。しかし、下記に示すように変性しにくい酵素を用いることにより、長期間共存させることは可能である。
【００１５】
また、第１の実施形態では、アレルゲン不活化層２０は、保水性を有する不溶性部材で形成されており、酵素およびタンパク質変性剤を含む溶液（以下、アレルゲン不活化溶液ともいう）が不溶性部材に保持されている。不溶性部材としては、それ自体は不溶性であって、層構造を支持しかつ保水性を有する部材であればよい。保水性を有する不溶性部材としては、例えば、発泡ウレタン樹脂、繊維集合体などを板状に形成したものを用いることができる。また、アレルゲン不活化溶液は不溶性部材を湿らす程度に保持させることが好ましい。不溶性部材にゲル化剤を担持させて、アレルゲン不活化溶液を保持させるようにすることもできる。
【００１６】
酵素および／またはタンパク質変性剤とアレルゲンが接触することにより、アレルゲンが不活化される。接触の形態は特に限定されるものではない。アレルゲンが細孔を通じてアレルゲン不活化層２０に達することにより接触が生じる場合、あるいはアレルゲン不活化液が細孔を通じてわずかにしみ出し多孔質表層ボード１０の表面にてアレルゲンと接触するようにしてもよい。後者の場合は、アレルゲン不活化層２０の湿潤度を調整することにより達せられる。
【００１７】
アレルゲン不活化溶液は、アレルゲンを不活化する酵素およびタンパク質変性剤を含有する。溶媒は、酵素活性およびタンパク質変性剤の作用を阻害しないものが用いられ、例えば水が好適である。
【００１８】
アレルゲンを不活化する酵素としては好ましくはプロテアーゼが例示される。プロテアーゼとはペプチド結合を分解する性質を有する酵素である。プロテアーゼは酸性、中性、塩基性の何れであってもよい。好ましいプロテアーゼとしては、例えば、トリプシンなどのセリンプロテアーゼ；パパイン、カルパイン、カテプシンＢおよびカテプシンＬなどのシステインプロテアーゼ；ペプシン、レニンおよびカテプシンＤなどのアスパラギン酸プロテアーゼ；並びにメタロプロテアーゼなどが例示される。また、本発明で用いられるプロテアーゼは、耐熱性が高く、またドデシル硫酸ナトリウム（ＳＤＳ）などの界面活性剤や尿素などに対する耐久性が高いものがより好適である。具体的には、pfu protease S（タカラバイオ社製）などが市販の好適な酵素として入手可能である。
【００１９】
前記タンパク質変性剤としては、ドデシル硫酸ナトリウム、ドデシル硫酸リチウム、３，５−ジドデシル硫酸リチウム、トリス（ヒドロキシメチル）アミノメタンドデシルサルフェート、コール酸ナトリウム、Ｎ−ラウロイルサルコシン、Ｎ−ラウロイルサルコシン酸ナトリウム、セチルジメチルエチルアンモニウムブロミド、セチルトリメチルアンモニウムブロミド、３−［（３−コールアミドプロピル）ジメチルアンモニド］−２−ヒドロキシ−１−プロパンスルフォネート、３−［（３−コールアミドプロピル）ジメチルアンモニド］−１−プロパンスルフォネート、ポリオキシエチレンノニルフェニルエーテルおよび尿素からなる群より選択される１種または２種以上が用いられ、好ましくはドデシル硫酸ナトリウムおよび／または尿素が用いられる。
【００２０】
アレルゲン不活化溶液中の酵素およびタンパク質変性剤の含有量は適宜調整してよいが、好ましい範囲を示すと次の通りである。アレルゲン不活化溶液に含まれる酵素量（pfu protease S Uの場合での換算）としては、好ましくは0.１U/ml〜10U/ml、より好ましくは0.5U/ml〜5U/mlである。また、アレルゲン不活化溶液中に含まれるタンパク質変性剤の量は、尿素の場合では好ましくは0.01M〜10M、より好ましくは6M〜8Mである。またSDSの場合では2.5%（w/w）以下が好ましく、より好ましくは0.01％〜5%である。酵素及びタンパク質変性剤の量をこのような範囲に調整することにより、アレルゲンの不活化効果を十分に得ることができる。また、酵素をタンパク質変性剤と併存させても酵素まで失活してしまうことを抑制し、アレルゲンの不活化を一定期間維持することが可能である。
【００２１】
アレルゲン不活化溶液には、アレルゲン不活性化の有効性を阻害しない範囲で、必要に応じて、ｐＨ調整剤、界面活性剤、増粘剤、乳化剤、水溶媒、着色剤、マスキング剤、消臭剤、可塑剤、帯電防止剤、殺菌剤、防カビ剤、害虫忌避剤、噴射剤、分散剤などの他の添加物を配合してもよい。
【００２２】
板材１は、室内の壁、天井などを構成する板材として好適である。板材１は多孔質表層ボード側が室内側を向くように設置される。板材１は必要に応じて室内全面または一部に設けてよい。室内内面の一部に設置する場合には、アレルゲンの付着・集積しやすい場所に設けることが好ましい。例えば、室内に入ってきた外気がぶつかる場所、室内で空気が対流する箇所、ダニ、ノミなどが集まりやすい場所、あるいは、犬・猫などのペットの飼育場所およびこれらの周辺などが挙げられる。
【００２３】
［第２の実施形態］
本発明の第２の実施形態について図３と共に説明する。なお、上記実施形態と同一の構成は同じ符号を付し、その説明は省略する。
【００２４】
第２の実施形態では、アレルゲン不活化層２０に更にシール層が設けられる。シール層３０は、アレルゲン不活化層２０が含むアレルゲン不活化溶液の漏洩を防ぐ。またシール層３０は、既存の壁、天井に固定するための接着層とするこもともできる。
【００２５】
［第３の実施形態］
本発明の第３の実施形態について図３と共に説明する。なお、上記実施形態と同一の構成は同じ符号を付し、その説明は省略する。
【００２６】
第３の実施形態においては、アレルゲン不活化溶液４０をアレルゲン不活化層２０に補充するためのアレルゲン不活化溶液供給口１３が設けられる。図３に示すように、アレルゲン不活化溶液４０の入った補充ボトル５０が供給口１３からアレルゲン不活化層２０に差し込まれて担持されており、徐々に補充液ボトル５０からアレルゲン不活化溶液４０がアレルゲン不活層２０に供給される。
【００２７】
第３の実施形態のように、アレルゲン不活化溶液を補充する簡便な手段を備えることにより、アレルゲン不活化の効果を持続させることができる。
【００２８】
［第４の実施形態］
本発明の第４の実施形態について説明する。なお、第１の実施形態と同一の構成は同じ符号を付し、その説明は省略する。
【００２９】
第４の実施形態では、アレルゲン不活化層２０が、アレルゲンを不活化する酵素、タンパク質変性剤およびバインダーを含む水溶性固形物で形成される（不図示）。そして、細孔を通じて供給される水分により、酵素およびタンパク質変性剤が徐々にしみ出し、アレルゲンと接触してアレルゲンを不活化させる。外部より供給される水分は気体でも液体でもよい。例えば、表層の近傍に加湿器などを設置することにより、酵素の活性を上昇させることができる。
【００３０】
バインダーは、水溶性であって、固化し、酵素およびタンパク質変性剤を変質させないものであればよい。バインダーとしては、例えばセルロース系増粘剤、アクリル酸塩系増粘剤などが挙げられる。
【００３１】
［第５の実施形態］
本発明の第５の実施形態について図５と共に説明する。なお、上記実施形態と同一の構成は同じ符号を付し、その説明は省略する。
【００３２】
第５の実施形態では、表層として細管１４を内臓する表層ボード１５が備えられる。また、アレルゲン不活化層２１が、アレルゲンを不活化する酵素、タンパク質変性剤およびバインダーを含む水溶性固形物で形成される。アレルゲン不活化層２１には更に壁６０との接着をするためのシール層３０が設けられている。
【００３３】
表層ボード１５にはアレルゲン不活化層２１に向かって下方に傾斜した細孔１２と、鉛直方向に細管１４とが設けられる。細孔１２と細管１４とは交差している。細管１４には上部から水が供給され、細管１４をつたって細孔１２に水が送られる。細管１４と細孔１２の交差部における細孔１２のアレルゲン不活化層２１寄りの開口部は細管方向にわずかに突起が出ており、細管１４を通じて流れる水の一部がアレルゲン不活化層へと流れやすくなっている。
【００３４】
細孔１２に達した水は細孔１２の傾斜等によりアレルゲン不活化層２１に達し、アレルゲン不活化層を溶かし、酵素およびタンパク質変性剤を細孔１２づてに表層ボード１５の表面まで供給する。このような構成を採用することにより、水溶性固形物で形成されたアレルゲン不活化層２１から適度に酵素およびタンパク質変性剤をしみ出させることとができ、アレルゲンと酵素等との接触機会を向上させることができる。なお、細管１４の内径Ｄ1と細孔の内径Ｄ2は適宜調整してよい。
【００３５】
また、第５の実施形態においては、細管内臓表層ボード１５のアレルゲン不活化層２１側にストッパー１５が設けられている。ストッパー１５は細孔部と同程度の幅およびアレルゲン不活化層の厚みより若干短めの長さに設定されている。細管１４から水分が供給されてアレルゲン不活化層２１が溶出していき、アレルゲン不活化層２１を構成する水溶性固形物が自然落下することがあるが、ストッパー１５により、板材の下方端部に集積することを抑制することができる。
【００３６】
［第６の実施形態］
本発明の第６の実施形態について図６と共に説明する。なお、上記実施形態と同一の構成は同じ符号を付し、その説明は省略する。
【００３７】
第５の実施形態では、細管１４および細孔１２の空洞を水が流れる形態であったが、第６の実施形態では細管１４および細孔１２にスポンジ１７が充填され、スポンジ１７内に水が保持されてアレルゲン不活化層２１内の酵素およびタンパク質変性剤が溶出し、表面まで酵素およびタンパク質変性剤が搬送される。スポンジのような保水性部材を用いることにより適度な湿潤状態に調整することが容易である。
【実施例】
【００３８】
以下、本発明の実施例を説明するが、本発明が下記実施例に限定されるものではない。
（１）酵素+尿素液および酵素尿素ろ紙片の調製
１０M尿素溶液（リン酸緩衝生理食塩水（以下PBSと記す）を含む）を調製した。この尿素溶液10mlにタカラバイオ社製  pfu  ProteaseSを0.5ml加え、酵素尿素液を作製した（以下、酵素尿素液という）。
【００３９】
酵素尿素液をろ紙（Whatman、３MM  CHR）に吸収させた。酵素尿素液を吸着させたろ紙に、1cm2に調整したろ紙（Whatman、３MM  CHR）を更に載せ、50μl/cm2になるようにして、1cm2の酵素尿素液が吸収されたろ紙片を、真空乾燥機にて乾燥させ、水分が程よく抜けた保湿状態の試験片（以下、酵素尿素ろ紙片という）を作製した。
【００４０】
（２）酵素尿素ろ紙片でのダニアレルゲン不活化
ダニアレルゲン（ダニ抽出物）として、Mite Extract-Df（コスモバイオ社より販売）を使用した。添付の説明書に従い、5mg-protein/mlのダニアレルゲン溶液を作製した（以下、ダニアレルゲン液という）。ダニアレルゲン溶液を8μlを酵素尿素ろ紙片に満遍なく塗布し、得られた試験片を複数のインキュベーション（incubation）条件下で処理し、下記（３）のようにしてダニアレルゲン活性を測定した。
【００４１】
（３）ダニアレルゲン活性の測定
ダニアレルゲン活性は、ダニスキャン（商品名、DaniScan、アサヒフード＆ヘルスケア社より販売）を使って添付の説明書に記載の方法に従って測定した。ダニスキャンには表示部Tと表示部Cとがあり、ダニアレルゲンの存在量の応じてでT部分に赤色のバンドが検出される。本報告書で相対アレルゲン量をダニスキャンがらもとめるべく、表示部Tと表示部Cのバンド濃さを画像処理装置により求め、以下の式（Ａ）にて算出することとした。
相対アレルゲン濃度（％）＝T/（T＋C）          ・・・（Ａ）
上記式T、Cはそれぞれ表示部Tと表示部Cのバンド濃さを示す。
【００４２】
ダニスキャンを使ったダニアレルゲン検量線を事前に取得しておいた（図７）。サンプルの測定はその検量線の範囲内に収まるように、ダニアレルゲンの濃度をPBSなどで希釈した。
【００４３】
（４）インキュベーション（incubation）終了後の酵素尿素ろ紙片からのダニアレルゲンの回収
ダニアレルゲンを回収する方法はYasueda et al. (Estimation of Der pI and Der fI quantities in the reference preparation of Dermatophagoides mite extract, Chinical and Experimantal Allergy, vol 19, Pages 1030-1035, 1994)の方法に準じて行った。
抽出バッファー（extract buffer）は0.2%Tween 20、0.2%  牛血清アルブミン、0.05%  アジカナトリウムを含むPBSとし、Protease阻害剤としてphenylmethylsulfonyl fluoride (PMSF)を終濃度が2mMになるよう加えた（以下、これを抽出バッファーという）。インキュベーション終了後の試験片１枚に対し250μlの抽出バッファーを加え、4℃冷蔵庫にてOver night静置し、翌日上澄みを回収した。回収した上澄みは上記（３）の方法でダニアレルゲンの測定をした。
【００４４】
（５）ダニアレルゲン不活化の評価方法
酵素尿素ろ紙片でのアレルゲン不活化は上記方法で可能だが、ろ紙片そのものでの吸着による不活化（ダニアレルゲンがろ紙から回収されない分も含め）を考慮する必要ある。
そこで、対象区として、牛血清アルブミンを塗布した対象区ろ紙片を作製し、酵素尿素ろ紙片と同様に作製し、ダニアレルゲンの不活化を測定した。
最終的なダニアレルゲン不活化率は下記の式（Ｉ）にて算出した。
【００４５】
【数１】
2006083661.tif 000003
【００４６】
（６）結果および考察
上記の試験結果を図８および９に示す。図８には、△：８０℃、●：３５℃、○：２５℃の各インキュベーション条件での、アレルゲン不活化率の経時変化を示したものである。図中の各プロットにおけるバーは標準偏差を示す（ｎ＝３）。また、図９は、各温度、１０分間のインキュベーション時間でのアレルゲン不活化率の変化を示す図である。図中の各プロットにおけるバーは標準偏差を示す（ｎ＝３）。
【００４７】
本試験で作製した酵素尿素ろ紙片にて、室温でもダニアレルゲンは不活化されることが明となった。更に、加熱器などを用いて温度をかければアレルゲン不活化はより高性能化できる。室内環境で最も頑強なアレルゲンであるダニアレルゲンが不活化を確認できたことにより、より弱い（アレルゲンやタンパク質としての生化学的安定性）花粉などのアレルゲン不活化にも対応できることが推定される。
【産業上の利用可能性】
【００４８】
本発明は建材、特に住宅など居住空間を構成するための建材として有用である。
【図面の簡単な説明】
【００４９】
【図１】図１は、本発明の板材１の斜視図である。一部切欠部として示し内部を示す。
【図２】図２は、図１の板材１のＩ−Ｉ’線断面の一部を示す図である。
【図３】図３は、第２の実施形態の板材の断面を示す図である。
【図４】図４は、第３の実施形態の板材を示す図である。
【図５】図５は、第５の実施形態の板材を示す図である。
【図６】図６は、第６の実施形態の板材を示す図である。
【図７】図７は、実施例で用いたアレルゲン活性測定のための検量線を示す図である。
【図８】図８は、インキュベーション温度ごとのアレルゲン不活化率経時変化を示す図である。
【図９】図９は、インキュベーション温度ごとのアレルゲン不活化率の違いを示す図である。
【符号の説明】
【００５０】
１    板材
１０、１５、１６  表層ボード
１１、１２  細孔
１３  アレルゲン不活化溶液供給口
１４  細管
１５  ストッパー
２０  アレルゲン不活化層
２１  アレルゲン不活化層（水溶性固形物）
３０  シール層
４０  アレルゲン不活化液
５０  補充ボトル
６０  壁
【図１】
2006083661.tif 000004
【図２】
2006083661.tif 000005
【図３】
2006083661.tif 000006
【図４】
2006083661.tif 000007
【図５】
2006083661.tif 000008
【図６】
2006083661.tif 000009
【図７】
2006083661.tif 000010
【図８】
2006083661.tif 000011
【図９】
2006083661.tif 000012